(57)【特許請求の範囲】
【請求項１】
くし形の発振スペクトルを有する入力光信号の波長範囲を複数の前記発振スペクトルが含まれるｎ個（ｎは２以上の自然数）の波長区間に分割し、該ｎ個の波長区間をｎ個の経路に割り振る分波器と、
前記経路毎に配置され、前記経路に割り振られた波長区間の光信号をそれぞれ増幅するｎ個の光アンプと、
それぞれの前記経路で前記光アンプが増幅した光信号を合波する合波器と、
を備える光増幅装置。
【請求項２】
所定波長範囲をｎ個（ｎは２以上の自然数）の波長区間に分割し、該ｎ個の波長区間をｎ個の経路に割り振る分波器と、
前記経路毎に配置され、前記経路に割り振られた波長区間の光信号をそれぞれ増幅するｎ個の光アンプと、
それぞれの前記経路で前記光アンプが増幅した光信号を合波する合波器と、
を備え、
前記所定波長範囲の中心波長を含む波長区間を増幅する前記光アンプのゲインを最小とし、前記中心波長から離れた波長区間を増幅する前記光アンプほどゲインを大きく設定されていることを特徴とする光増幅装置。
【請求項３】
前記光アンプは、配置される前記経路に割り振られている波長区間にゲインのピークがあることを特徴とする請求項１又は２に記載の光増幅装置。
【請求項４】
前記合波器は、前記経路毎に、前記経路に割り振られた波長区間を透過帯域とするウィンドウを持つことを特徴とする請求項１から３のいずれかに記載の光増幅装置。
【請求項５】
前記分波器に入力する入力光信号の光強度を検出する検出部と、
前記合波器が出力する出力光信号の光強度を減衰する光アッテネータと、
前記検出部が検出した前記入力光信号の強度に応じ、前記出力光信号の光強度が所定値となるように前記光アッテネータ部での減衰量を決定するフィードフォワード制御回路と、
をさらに備えることを特徴とする請求項１から４のいずれかに記載の光増幅装置。
【請求項６】
少なくとも一つの前記波長区間が１２６０ｎｍ〜１２８０ｎｍを含むことを特徴とする請求項１から５のいずれかに記載の光増幅装置。
【発明の詳細な説明】
【技術分野】
【０００１】
本発明は、光アクセスシステムを長延化するための光増幅装置に関する。
【背景技術】
【０００２】
近年の通信トラフィック量の爆発的増大により、設備センタとユーザ間を接続するアクセスネットワークにはより高い高速性が求められている。また同時に、既存のサービスに比べてサービス提供価格を上昇させないための高い経済性も求められている。この高速性と経済性を両立可能なアクセスネットワークシステムとしてＰＯＮ（Ｐａｓｓｉｖｅ  Ｏｐｔｉｃａｌ  Ｎｅｔｗｏｒｋ）がある。ＰＯＮは光ファイバを用いた光信号の変調に基づくネットワークであり、従来のメタル配線を用いたネットワークよりも高い高速性を得ることができる。また、ＰＯＮでは、設備センタに収容される通信用インタフェース（以下ＰＯＮ−ＩＦ）１枚あたりに対し、光ファイバ線路途中に配置された光スプリッタによる光分岐のみによって多ユーザを収容することができることから、経済性にも優れたネットワークといえる。
【０００３】
このＰＯＮは従来、最大１Ｇｂｐｓの帯域を３２ユーザで共有するＧＥ−ＰＯＮ（Ｇｉｇａｂｉｔ  Ｅｔｈｅｒｎｅｔ（登録商標）  ＰＯＮ）が主流であった。これに対し、次世代ＰＯＮとして、最大１０Ｇｂｐｓの帯域を有し、ＧＥ−ＰＯＮとの共存が可能な１０Ｇ−ＥＰＯＮ（１０Ｇｂｐｓ  Ｅｔｈｅｒｎｅｔ（登録商標）  ＰＯＮ）の標準化、および研究開発が行われている。このシステムを用いることで、通信トラフィック量の増大にも対応可能なアクセスネットワークを、既存のＧＥ−ＰＯＮ向け設備を利用して経済的に構築することができる。
【０００４】
一方、多ユーザ収容のために光ファイバの多分岐化を行うと、その際に発生する分岐損により、設備センタに収容可能なユーザまでの距離（アクセス可能距離）を短縮させる。このアクセス可能距離の短縮は、ユーザの位置分布に合わせて設備センタを密に配置しなければならないことを意味するため、設備投資を増加させ、結果としてＰＯＮの持つ優れた特長一つである経済性を損なってしまう。従って、１つのＰＯＮ−ＩＦに対して多ユーザを収容しても、アクセス可能距離を短縮させない工夫が必要である。
【０００５】
この課題を解決する方法として、強度が減衰した光バースト信号を光アンプによって増幅させる方法がある。これによって、アクセス可能距離を長延化することができ、より経済性に優れたアクセスネットワークを構築することができる。光増幅器を用いてアクセスネットワークを長延化した例が特許文献１である。この発明は光アンプ、光バンドパスフィルタ（ＢＰＦ：Ｂａｎｄ  ｐａｓｓ  ｆｉｌｔｅｒ）、フィードフォワード制御部、可変アッテネータ（ＶＯＡ：Ｖａｒｉａｂｌｅ  ｏｐｔｉｃａｌ  ａｍｐｌｉｆｉｅｒ）の４つの構成要素からなる。特に上りバースト信号におけるアンプへの入力パワーは、ＯＮＵの設置距離や通信用レーザの個体間毎にパワーが大きく異なるため、フィードフォワード制御部でパワーを検出し、ＶＯＡの挿入損失量を増減させる事が必要になる。光アンプ部で増幅された信号はＢＰＦで自然放出（ＡＳＥ：Ａｍｐｌｉｆｉｅｄ  ｓｐｏｎｔａｎｅｏｕｓ  ｅｍｉｓｓｉｏｎ）ノイズが除去された後、ＶＯＡ後段でパワーが一定になるよう、バースト信号毎に自動レベル制御（ＡＬＣ：Ａｕｔｏ  ｌｅｖｅｌ  ｃｏｎｔｒｏｌ）機能が付加される。この場合、フィードフォワード的に入力光パワーを監視し、後段の可変光アッテネータの挿入損失量を決定するだけであるから制御系が単純となり、安定かつ高速に出力パワーを制御することができる。この機構によって、様々な入力パワーを有するバースト信号を増幅し、かつ一定の出力パワーで光増幅してシステムの長延化を実現することができる。
【先行技術文献】
【特許文献】
【０００６】
【特許文献１】特許４８３４１６４号
【発明の概要】
【発明が解決しようとする課題】
【０００７】
しかしながらＧＥ−ＰＯＮにおいて最も広く普及しているＰＸ１０規格では、低コスト化を図るためにＯＮＵ側送信段に対し安価なファブリーペローレーザを用いている。このファブリーペローレーザは仕様上１３１０ｎｍ±５０ｎｍの広い波長範囲において、くし形の上り発振スペクトルを有する。これに対し１０Ｇ−ＥＰＯＮのＯＮＵ送信段にはＤＦＢ（Ｄｉｓｔｒｉｂｕｔｅｄ  ｆｅｅｄｂａｃｋ）レーザを使用しているため、仕様上１２７０ｎｍ±１０ｎｍの急峻な上り発振スペクトルを有する。ＧＥ・１０Ｇデュアルレートで長延化を図るには、この２つの特徴的なスペクトルを有する上りバースト信号を、１台の光増幅装置で増幅させる必要がある。
【０００８】
特許文献１における光増幅器でＧＥ−ＯＮＵ（ＰＸ１０）、１０Ｇ−ＯＮＵ両方の上り信号のデュアルレート増幅を行うと、ＧＥ−ＯＮＵ（ＰＸ１０）の広いスペクトルに合わせてＡＳＥノイズ除去用光バンドパスフィルタ（ＢＰＦ）の幅を広く設定しなければならなくなる。従って、１０Ｇ−ＯＮＵが急峻なスペクトルを有するにも関わらず、光バンドパスフィルタのウィンドウ幅を狭めることができなくなり、光中継増幅装置から出力される信号は多くのＡＳＥノイズを含むようになる。換言すれば、ＧＥ・１０Ｇデュアルレートでは、幅広なＧＥ−ＯＮＵの波長範囲に合わせたＢＰＦを採用することになり、１０Ｇ−ＯＮＵの狭帯域信号のＡＳＥノイズを十分に除去できなくなる。これは結果として１０Ｇ側の信号品質の劣化をもたらし、トランシーバ受光感度に一定のペナルティを与える。結果として光アンプに長延化効果を減少、あるいは無効化させてしまう。
【０００９】
そこで、上記課題に鑑み、本発明は、規格の異なる２つの光信号（デュアルレート）を増幅でき、長延化可能な光増幅装置を提供することを目的とする。
【課題を解決するための手段】
【００１０】
上記目的を達成するために、本発明に係る光増幅装置は以下の２つの特徴を有する。
【００１１】
本発明は、第一に、２以上の自然数ｎをパラメータとして、入力光信号をｎ区間の波長で分波可能な１台以上の分波器と、波長分離後の光信号を各波長区間ごとに光増幅可能なｎ個の光アンプと、各波長で増幅した光信号を合波可能な１台以上の合波器とを備えることを特徴とする。
【００１２】
具体的には、本発明に係る光増幅装置は、
所定波長範囲をｎ個（ｎは２以上の自然数）の波長区間に分割し、それぞれの波長区間をｎ個の経路に割り振る分波器と、
前記経路毎に配置され、前記経路に割り振られた波長区間の光信号をそれぞれ増幅するｎ個の光アンプと、
それぞれの前記経路で前記光アンプが増幅した光信号を合波する合波器と、
を備える。
【００１３】
本光増幅装置は、波長別に最適な感度／ゲインが異なる光アンプを光増幅装置に適用することによって、急峻なスペクトルの１０Ｇ−ＯＮＵと、幅広いスペクトルのＧＥ−ＯＮＵ（ＰＸ１０）の両方において、高いゲインを有する最適な光アンプを設計／適用することができるようになる。結果、ＧＥ−ＰＯＮ／１０Ｇ−ＥＰＯＮの混在システムで異なる波長スペクトルが入力される上り信号においても、広い波長範囲で高いゲインを得られるようになる。
【００１４】
従って、本発明は、規格の異なる２つの光信号（デュアルレート）を増幅でき、長延化可能な光増幅装置を提供することができる。
【００１５】
本発明に係る光増幅装置の前記光アンプは、配置される前記経路に割り振られている波長区間にゲインのピークがあることを特徴とする。ｎ個の光アンプそれぞれの波長に対する最大感度が各波長区間に含まれるように設計すれば、該光増幅装置の全体的なゲインを特に高く設計することができる。
【００１６】
本発明は、第二に、光増幅後に重畳されるＡＳＥノイズを除去するため、分波器、合波器のいずれか、もしくはその両方の透過帯域幅は、波長分離時の隣接する波長区間と一定の重複区間を含むようなウィンドウをもつことを特徴とする。
【００１７】
本発明に係る光増幅装置の前記合波器は、前記経路毎に、前記経路に割り振られた波長区間を透過帯域とするウィンドウを持つことを特徴とする。本光増幅装置は、ＡＳＥノイズをカットオフするための分波器、合波器の透過帯域ウィンドウを、その区間に接続された光アンプが増幅に寄与しない波長域まで狭めて適用する。これにより、光アンプ毎に増幅に寄与しない波長域のＡＳＥノイズを低減でき、光増幅装置全体の信号品質の劣化を抑制することができる。
【００１８】
本発明に係る光増幅装置は、
前記分波器に入力する入力光信号の光強度を検出する検出部と、
前記合波器が出力する出力光信号の光強度を減衰する光アッテネータと、
前記検出部が検出した前記入力光信号の強度に応じ、前記出力光信号の光強度が所定値となるように前記光アッテネータ部での減衰量を決定するフィードフォワード制御回路と、
をさらに備える。
本光増幅装置は、過出力となって信号歪を生じさせたり、トランシーバを破壊させないように制御できる。
【００１９】
本発明に係る光増幅装置は、前記所定波長範囲の中心波長を含む波長区間を増幅する前記光アンプのゲインを最小とし、前記中心波長から離れた波長区間を増幅する前記光アンプほどゲインを大きく設定されていることを特徴とする。ファブリーペローレーザのようにすそ野部でスペクトルが小さい光信号の場合でも、すそ野部分のスペクトルを増幅する光アンプのゲインを高めることで、全体としてゲインを下げること無く、デュアルレートでの安定増幅動作を実現することができる。
【００２０】
本発明に係る光増幅装置は、少なくとも一つの前記波長区間が１２６０ｎｍ〜１２８０ｎｍを含むことを特徴とする。本光増幅装置は、ＧＥ−ＰＯＮ／１０Ｇ−ＥＰＯＮの混在システムでのデュアルレート光増幅装置として適用できる。
【発明の効果】
【００２１】
本発明は、規格の異なる２つの光信号（デュアルレート）を増幅でき、長延化可能な光増幅装置を提供することができる。
【図面の簡単な説明】
【００２２】
【図１】本発明に係る光増幅装置を説明する図である。
【図２】本発明に係る光増幅装置の分波器・合波器のウィンドウと光アンプのゲインとの関係を説明する図である。
【図３】本発明に係る光増幅装置の光アンプのゲインとファブリペローレーザのスペクトルとの関係を説明する図である。
【図４】本発明に係る光増幅装置の分波器・合波器のウィンドウと光アンプのゲインとの関係を説明する図である。
【図５】本発明に係る光増幅装置を説明する図である。
【発明を実施するための形態】
【００２３】
添付の図面を参照して本発明の実施形態を説明する。以下に説明する実施形態は本発明の実施例であり、本発明は、以下の実施形態に制限されるものではない。なお、本明細書及び図面において符号が同じ構成要素は、相互に同一のものを示すものとする。
【００２４】
（実施形態１）
図１は、本実施形態の光増幅装置３０１を説明する図である。光増幅装置３０１は、
所定波長範囲をｎ個（ｎは２以上の自然数）の波長区間に分割し、それぞれの波長区間をｎ個の経路に割り振る分波器１１と、
前記経路毎に配置され、前記経路に割り振られた波長区間の光信号をそれぞれ増幅するｎ個の光アンプ１２と、
それぞれの前記経路で前記光アンプが増幅した光信号を合波する合波器１３と、
を備える。
【００２５】
複数台接続されたＧＥ−ＯＮＵ、及び１０Ｇ−ＯＮＵからのバースト信号が光増幅装置３０１へ入力される場合を考える。ＧＥ−ＯＮＵは１３１０ｎｍ±５０ｎｍの波長範囲においてくし形の上り発振スペクトルを、１０Ｇ−ＯＮＵ送信段は１２７０ｎｍ±１０ｎｍの波長範囲において急峻な上り発振スペクトルを有することとし、同一のＯＮＵ種別でも個体間で中心波長が仕様の範囲内でばらつくこととする。
【００２６】
分波器１１は、バースト光信号をｎ個の波長区間に分波する。入力された上りバースト信号は、波長スペクトルの特定区間ごと（λ０〜λ１，λ１〜λ２，・・・，λｎ−１〜λｎ）に分波器１１で分波される。例えばｎ＝３の場合において、図１におけるλ０が１２４０ｎｍ、λ１が１２６０ｎｍ、λ２が１２８０ｎｍ、λ３が１３００ｎｍなどである。この時の分岐損失は０．５ｄＢ以下に抑制されれば、挿入損の低減という観点で望ましい。ただしこの損失を無視できる程度にアンプのゲインが大きい場合には必ずしもこの分岐損以下でなくても良い。
【００２７】
光アンプ１２は、複数（ｎ）の経路毎に配置される。ここでは、経路毎に光アンプ（１２−１〜１２−ｎ）として説明する。分波器１１で分波され、各径路に結合された光信号は、光アンプ１２で各波長ごとに光増幅される。光アンプ１２は、例えば、半導体光増幅器（ＳＯＡ：Ｓｅｍｉｃｏｎｄｕｃｔｏｒ  ｏｐｔｉｃａｌ  ａｍｐｌｉｆｉｅｒ）やファイバアンプである。各波長における光増幅器１２の増幅率は典型的には１５ｄＢ〜２０ｄＢで設定される。この増幅率を有する光増幅器を用いれば、上り伝送ロス換算で２０〜４０ｋｍの高い長延化効果を実現することができる。ただし、長延化効果と、設備センタとユーザの分布、及び増幅器作製に要するコストを総合的に勘案して、最適となる増幅率がこの以外の点であれば、光増幅器の増幅率はいかなる値であっても構わない。
【００２８】
また、光増幅器１２に要求されるダイナミックレンジは、ＰＯＮの特徴である接続されるＯＮＵへの入力パワーばらつきが近距離・遠距離で大きいことを考えると、典型的には−３０ｄＢ〜−１０ｄＢ程度が望ましい。このダイナミックレンジでは、ＰＯＮユーザ収容設計に大きな自由度を持たせることができる。ただし、高ダイナミックレンジを有する光増幅器のコストが、ＰＯＮの長延化効果に対するコスト効果に見合わない場合、光増幅器のダイナミックレンジはいかなる値であっても構わない。
【００２９】
さらに、ＯＬＴ受信時のパワーペナルティを抑制するため、光増幅器１２のＮＦ（Ｎｏｉｓｅ  Ｆｉｇｕｒｅ）は典型的には１０ｄＢ以下であることが望ましい。ただし、低ＮＦの光増幅器の作製に要するコストが、ＰＯＮの長延化効果に対するコスト効果に見合わない場合、光増幅器のＮＦはいかなる値であっても構わない。
【００３０】
合波器１３は、各波長で増幅された光信号を合波する。合波器１３は、前記経路毎に、前記経路に割り振られた波長区間を透過帯域とするウィンドウを持つ。増幅後の光信号にはＡＳＥノイズが重畳されており、そのまま透過させると増幅後の信号品質を劣化させてしまう。このため、合波器１３には、分波器１１で分波した波長幅のウィンドウを持たせ、ウィンドウ以外の波長のＡＳＥノイズを除去することで信号品質の劣化を防止する。
【００３１】
（実施形態２）
図５は、本実施形態の光増幅装置３０２を説明する図である。光増幅装置３０２は図１の光増幅装置３０１に増幅された光信号の出力レベルを調整するレベルコントロール機能を持たせている。詳細には、光増幅装置３０２は、
分波器１１に入力する入力光信号の光強度を検出する検出部１４と、
合波器１３が出力する出力光信号の光強度を減衰する光アッテネータ１５と、
検出部１１が検出した前記入力光信号の強度に応じ、前記出力光信号の光強度が所定値となるように光アッテネータ部１５での減衰量を決定するフィードフォワード制御回路１６と、
をさらに備える。
【００３２】
合波器１３は、各波長ごとに増幅された光信号を合波して出力するが、この時に過出力となって信号歪を生じさせたり、トランシーバを破壊させないように制御する場合には、以下で述べる出力レベルコントロール機能を設ける。
【００３３】
この出力レベルコントロール機能は、光増幅器１１前段に挿入されたモニタ光抽出用のカプラ１７、およびモニタ光を電気信号に変換するフォトダイオード（検出部１４）、電気信号の強度をもとに光アッテネータ１５の減衰量を決定するフィードフォワード制御回路１６、及び合波器１３からの光出力を任意の減衰量で減衰することのできる光アッテネータ１５で構成される。
【００３４】
モニタ用光抽出用のカプラ１７において、入力光信号の１％程度を分波し、光電変換用のフォトダイオード（検出部１４）に入力する。この時の光アッテネータの挿入量を、モニタ用電気信号の電位に比例するようにフィードフォワード制御回路１６を設計すれば、バースト信号の出力レベルが一定になるように制御される。この比例制御の係数は任意であるが、概ね出力レベルが＋０〜＋９ｄＢｍになるように設定すれば、長延化に寄与可能な光増幅装置を構築することができる。
【００３５】
（実施形態３）
図２は、分波器１１又は合波器１３の透過波長ウィンドウと各光アンプ１２の最大ゲインとの関係を説明する図である。光アンプ１２は、配置される前記経路に割り振られている波長区間にゲインのピークがある。図２に示すようにｎ個の光アンプ（１２−１〜１２−ｎ）それぞれの波長に対する最大感度が各波長区間に含まれるように設計すれば、光増幅装置の全体的なゲインを特に高く設計することができる。
【００３６】
例えば、ある透過帯域区間における光アンプのゲインの最大値が２０ｄＢ程度であれば、ウィンドウ両端のゲインが１７ｄＢ程度に収まるように設計する。さらに、隣接ウィンドウ同士は、波長で１〜１０ｎｍ程度重畳させておく。このように設計することで、光増幅装置全体ではＯＮＵ種別に関係なく広い波長帯で２０ｄＢ程度のゲインを得ることができ、しかもＮＦを低く抑えることができるようになる。
【００３７】
（実施形態４）
図３は、光アンプのゲインとファブリペローレーザのスペクトルとの関係を説明する図である。本実施形態の光増幅装置は、前記所定波長範囲の中心波長を含む波長区間を増幅する光アンプ１２のゲインを最小とし、前記中心波長から離れた波長区間を増幅する光アンプ１２ほどゲインを大きく設定されている。
【００３８】
１０Ｇ−ＯＮＵに搭載されるＤＦＢレーザは急峻で高い強度のスペクトルを有しているため、単一のＳＯＡの感度範囲で十分に高いゲインをとることができる。広いスペクトルを有するファブリーペローレーザでは、単一のＳＯＡの感度範囲ではカバーできないため、すそ野部分でのゲインを大きくとることができず、結果としてゲインを大きくとることができない。
【００３９】
これに対して図３に示すように、光増幅装置に対して入力される信号群の中心波長から離れた区間ほど大きいゲインを持つ光アンプを配置する構成とすることにすれば、ファブリーペローレーザのスペクトルのすそ野部ほど増幅量が大きくなる。このようにすそ野部分のスペクトルにおけるゲインを高めることにより、全体としてＧＥ−ＯＮＵのゲインを下げること無く、デュアルレートでの安定増幅動作を実現することができる。
【００４０】
例えば、１０Ｇ−ＯＮＵの仕様上の発振波長範囲は１２６０ｎｍ〜１２８０ｎｍである。従って、この区間を一つの波長区間として光増幅、及びＡＳＥノイズ除去する。ＧＥ−ＯＮＵの発振波長範囲は１２６０〜１３６０ｎｍを含むため、１２８０ｎｍ以上の区間を別の波長区間として区切り、光増幅、及びＡＳＥノイズを除去すれば良い。実際にはＧＥ−ＯＮＵのファブリーペローレーザの場合、１２６０〜１３６０ｎｍ以外の波長領域も含むことから、この区間外の波長領域に関しても増幅させても良い。
【００４１】
（実施形態５）
図４は、分波器１１又は合波器１３の透過波長ウィンドウと各光アンプ１２の最大ゲインとの関係の１例を説明する図である。本実施形態では、ｎ＝３とし、波長区間（分波器１１又は合波器１３の透過波長ウィンドウ）をそれぞれ１２６０ｎｍ〜１２８０ｎｍ帯、１２６０ｎｍ以下、１２８０ｎｍ以上とした。この時、ＡＳＥノイズが１２６０ｎｍ〜１２８０ｎｍ帯で無視できるような場合には、１２６０ｎｍ以下のウィンドウ形成にハイパスフィルタを、１２８０ｎｍ以上のウィンドウ形成にローパスフィルタを用いても良い。
【００４２】
このように分波器１１、光アンプ１２、及び合波器１３を設計することで、ＧＥ−ＰＯＮ／１０Ｇ−ＥＰＯＮの混在システムに適用できる、経済性に優れ、かつ高ゲイン・低ＮＦのデュアルレート光増幅装置とすることができる。
【００４３】
［付記］
以下は、本発明に係る光増幅装置を説明したものである。
本発明は、急峻なスペクトルの１０Ｇ−ＯＮＵと幅広いスペクトルのＧＥ−ＯＮＵの双方において、高いゲインを有する最適なデュアルレート光増幅装置を提供する。
【００４４】
（１）：
２以上の自然数ｎをパラメータとして、
入力光信号をｎ区間の波長で分波可能な１台以上の分波器と、
波長分離後の光信号を各波長区間ごとに光増幅可能なｎ個の光アンプと、
ｎ区間の各波長で増幅した光信号を合波可能な１台以上の合波器とを備えることを特徴とするデュアルレート光増幅装置。
【００４５】
（２）：
上記（１）に記載のデュアルレート光増幅装置において、
入力部に入力光の強度をモニタする検出部と、
出力部に任意の量で光強度を減衰可能な光アッテネータ部と、
入力信号の強度に応じて合波後の可変アッテネータ挿入損失量を決定して定出力化するためのフィードフォワード制御回路とを備えることを特徴とするデュアルレート光増幅装置。
【００４６】
（３）：
上記（１）〜（２）に記載のデュアルレート光増幅装置において、
光増幅装置に対して入力される信号群の中心波長から離れた区間ほど大きな光アンプゲインを備えることを特徴とするデュアルレート光増幅装置。
【００４７】
（４）：
上記（１）〜（３）に記載のデュアルレート光増幅装置において、
少なくとも一つの波長区間に１２６０ｎｍ〜１２８０ｎｍを含むことを特徴とするデュアルレート光増幅装置。
【符号の説明】
【００４８】
１１：分波器
１２、１２−１、・・・、１２−ｎ：光アンプ
１３：合波器
１４：検出部
１５：光アッテネータ
１６：フィードフォワード制御回路
１７：カプラ
３０１、３０２：光増幅装置
【図１】
0006276137.tif 000002
【図２】
0006276137.tif 000003
【図３】
0006276137.tif 000004
【図４】
0006276137.tif 000005
【図５】
0006276137.tif 000006